(57)【特許請求の範囲】
【請求項１】
先端にデンタルフロスのうち歯牙の異物を直接的にとり除く部分がかけられるヘッドが具備されるとともに、中段に巻取り孔が貫通するように形成され、前記巻取り孔の周辺に弾性変形可能なロッキングポールが形成される胴体と、
前記胴体の巻取り孔に挿入されて回転可能となるように設置されるとともに、前記ロッキングポールの一部がかけられて固定され、前記デンタルフロスの一部がかけられて共に回転しながら一定張力を維持するように前記デンタルフロスを引く巻取りホイールとを含んで構成される、張力を調節可能なデンタルフロスホルダーにおいて、
前記ロッキングポールは、その一端を中心に弾性変形可能なカンチレバー形状に形成されるとともに、
前記ロッキングポールの先端には、ロッキングポールの長さ方向に突き出すようにロッキング突起が形成され、
前記巻取りホイールの円筒状挿入部には、前記巻取りホイールの回転時に前記ロッキング突起と接する軌跡上に一定間隔を置いて、ロッキング凹溝が凹入されるように形成され、
前記ロッキング凹溝に前記ロッキング突起が挿入されることによって、前記巻取りホイールが固定され、
前記ロッキング凹溝は前記巻取りホイールの前記円筒状挿入部の外周面に形成され、
前記巻取りホイールは、
使用者の把持のための回転取っ手と、
前記回転取っ手の一面に円筒形状に突き出すように形成されるとともに、前記巻取り孔に挿入され、その中段に前記デンタルフロスの一部がかけられる固定スリットが長さ方向に形成される挿入部と、
前記挿入部の一端に突き出すように形成されるとともに、前記巻取り孔のまわりに突き出すように形成される固定ガイドにかけられて、前記巻取りホイールが任意に分離されることを防止する固定突起とを含んで構成され、
前記固定スリットは前記挿入部を中心に十字形状に形成されるとともに、前記固定スリットによって分割された前記挿入部のうち、互いに向かい合う一対に、前記固定突起が具備されることを特徴とする、
張力を調節可能なデンタルフロスホルダー。
【請求項２】
前記ヘッドは、
一定長さを有するバー形状に形成されるとともに、その長さ方向に沿って突き出すように突き出しリブが形成され、前記突き出しリブの一面にデンタルフロスを挿入して安定的に位置させることが可能なガイドスリットが形成される一対の固定バーと、
前記固定バーを一定距離離隔するように位置させる連結部とを含んで構成されることを特徴とする、請求項１に記載の張力を調節可能なデンタルフロスホルダー。
【発明の詳細な説明】
【技術分野】
【０００１】
本発明は、歯牙の間に位置した異物をとり除くデンタルフロスを固定させるデンタルフロスホルダーに関するものであり、より詳細には、使用時に垂れるか、または弱くなることがあるデンタルフロスの張力を調節可能であり、張力調節部に設置された突起によって、デンタルフロスを使用する際に糸の張力が低下しないようにすることのできるデンタルフロスホルダーに関するものである。
【背景技術】
【０００２】
世界保健機関（ＷＨＯ）の各国口腔実態調査によれば、韓国１２歳児童の一人当りの平均虫歯経験個数は３．３個で、世界平均である１．６１個に比べて二倍以上高い。
さらに大人の歯ぐき疾患有病率は７０％以上である。しかし、韓国人は歯磨きを熱心にしている。韓国の一人当りの年間歯磨き使用量は、アメリカに次いで２位であるとの調査がなされた（マッキンゼー２００５年調査）。韓国人の一日歯磨き回数も２．３５回で、日本の１．９７回に比べて遥かに高い。歯磨きをたくさんするにもかかわらず歯ぐき疾患発病率の高い理由は、デンタルフロスの使用に対する低い情報のためであると言えるであろう。
【０００３】
現在、ヨーロッパ国家及び大部分の先進国では、食後デンタルフロスを使って歯牙の間に挟まった食べ物をとり除くようになっている。いくつかのアジア国家でもデンタルフロスホルダー及びデンタルフロスの使用頻度が高い反面、政府においては、認識及び使用方法の伝達が不十分であることにより、相変わらず食後楊枝を使用する回数がデンタルフロスを使用する回数よりも頻繁であるという結果が示されている。周知のように、デンタルフロスは歯牙の間の食べ物の残物などを除去する際に有用であり、歯ぐき疾患がある場合には、プラークを除去する際に有用である。
【０００４】
デンタルフロスホルダーは、このようなデンタルフロスの使用をより容易にする道具であり、Ｙ字形状に形成されるものである。一般に、デンタルフロスホルダーはＹ字の両端に、デンタルフロスが所望の張力を有するようにデンタルフロスを固定させて使用するようになっている。
【０００５】
しかし、従来技術に係るデンタルフロスホルダーは、以下のような問題点を有している。
従来のデンタルフロスホルダーは単純にデンタルフロスを固定させて使用するものであり、デンタルフロスが使用によって緩んだ場合、むしろ歯牙の間の異物除去を阻害するようになるという問題点がある。
【０００６】
また、デンタルフロスが所望の張力を維持することができなければ、使ったデンタルフロスをとり除いてまた新しいデンタルフロスを固定して使わなければならず、デンタルフロスの活用度が低くなるという問題点がある。
【０００７】
特許文献１では、デンタルフロスホルダーに関する発明を開示している。この発明では、環形のデンタルフロスにおいて、引っ張りレバーを利用してデンタルフロスの張力を維持しているが、デンタルフロスの張力が弱くなった場合、環形のデンタルフロス全体を取り交わさなければならないため、デンタルフロスの活用度が低いという問題を有している。
【０００８】
また、デンタルフロスホルダーのうちデンタルフロスがかけられる部分は、使用者の口腔の中に入れて使用するが、従来技術の場合、この部分が常に外部に露出しており、外部汚染物質などによって汚染されるため、再使用時に洗浄が必要となり、使用が煩わしいという問題点がある。
【０００９】
特許文献２では、カード型デンタルフロスホルダーに関する発明を開示している。この発明では、平たい形状のデンタルフロス巻取り部及びハウジングを利用して、携帯が容易なデンタルフロスホルダーを提供しているが、デンタルフロス部が常に外部に露出しており、汚染に対して脆弱であるという短所を有している。
【先行技術文献】
【特許文献】
【００１０】
【特許文献１】韓国登録特許第１６３５３６３号公報
【特許文献２】韓国公開特許第２０１４−０１４６０４１号公報
【発明の概要】
【発明が解決しようとする課題】
【００１１】
本発明は、上記問題点を解決しようと案出されたものであり、デンタルフロスの張力を使用者が所望の通りに調節可能であり、張力調節部に突起を設置することにより、デンタルフロス使用時に張力調節部の逆回転によって張力低下を防止することのできるデンタルフロスホルダーを提供する。
【課題を解決するための手段】
【００１２】
前記の課題を解決するために、本発明は、先端にデンタルフロスのうち歯牙の異物を直接的にとり除く部分がかけられるヘッドが具備されるとともに、中段に巻取り孔が貫通するように形成され、前記巻取り孔の周辺に弾性変形可能なロッキングポールが形成される胴体と、前記胴体の巻取り孔に挿入されて回転可能となるように設置されるとともに、前記ロッキングポールの一部がかけられて固定され、前記デンタルフロスの一部がかけられて共に回転しながら一定張力を維持するように前記デンタルフロスを引く巻取りホイールとを含んで構成される、張力を調節可能なデンタルフロスホルダーにおいて、前記ロッキングポールは、その一端を中心に弾性変形可能なカンチレバー形状に形成されるとともに、前記ロッキングポールの先端には、ロッキングポールの長さ方向に突き出すようにロッキング突起が形成され、前記巻取りホイールの円筒状挿入部には、前記巻取りホイールの回転時に前記ロッキング突起と接する軌跡上に一定間隔を置いて、ロッキング凹溝が凹入されるように形成され、前記ロッキング凹溝に前記ロッキング突起が挿入されることによって、前記巻取りホイールが固定される、張力を調節可能なデンタルフロスホルダーを提供する。
【００１３】
また、前記巻取りホイールは、使用者の把持のための回転取っ手と、前記回転取っ手の一面に円筒形状に突き出すように形成されるとともに、前記巻取り孔に挿入され、その中段に前記デンタルフロスの一部がかけられる固定スリットが長さ方向に形成される挿入部と、前記挿入部の一端に突き出すように形成されるとともに、前記巻取り孔のまわりに突き出すように形成される固定ガイドにかけられて、前記巻取りホイールが任意に分離されることを防止する固定突起とを含んで構成される、張力を調節可能なデンタルフロスホルダーを提供する。
【００１４】
また、前記挿入部において、固定スリットの前記挿入部を中心に十字（＋）形状に形成されるとともに、前記固定スリットによって分割された前記挿入部のうち、互いに向かい合う一対に、前記固定突起が具備される、張力を調節可能なデンタルフロスホルダーを提供する。
【００１５】
また、前記ヘッドは、一定長さを有するバー形状に形成されるとともに、その長さ方向に沿って突き出すように突き出しリブが形成され、前記突き出しリブの一面にデンタルフロスを挿入して安定的に位置させることが可能なガイドスリットが形成される一対の固定バーと、前記固定バーを一定距離離隔するように位置させる連結部とを含んで構成される、張力を調節可能なデンタルフロスホルダーを提供する。
【発明の効果】
【００１６】
このような本発明によれば、巻取りホイールの回転によってデンタルフロスの張力を自由に調節可能であり、使用中デンタルフロスの張力が弱くなった場合、巻取りホイールを追加で回転させて所望の張力に再調節することが可能である。併せて、巻取りホイールの円筒状挿入部に形成されたロッキング凹溝とロッキングポールの長さ方向に設置されたロッキング突起との相互作用によって、巻取りホイールの望ましくない回転が防止されるため、巻取りホイールの逆回転による張力低下を防止することができる。
【図面の簡単な説明】
【００１７】
【図１】本発明に係るデンタルフロスホルダー胴体の正面図である。
【図２】本発明に係るデンタルフロスホルダー胴体の背面図である。
【図３】本発明に係る巻取りホイールの斜視図である。
【図４】本発明に係るデンタルフロスホルダーにデンタルフロスを固定させる過程を示す作業順序図である。
【図５】本発明に係るデンタルフロスホルダーにデンタルフロスを固定させる過程を示す作業順序図である。
【発明を実施するための形態】
【００１８】
以下、本発明の望ましい実施例を詳細に説明する。本発明を説明するに際し、関連する公知技術に対する具体的な説明が本発明の要旨を濁ごすことがあると判断される場合、その詳細な説明を省略することとする。明細書全体で、ある部分がある構成要素を“含む”とする場合、これは特別に反対の記載がされない限り、他の構成要素を除くものではなく、他の構成要素をさらに含むことができることを意味する。
【００１９】
本発明者らは、既存のデンタルフロスホルダーにおいてデンタルフロスの張力が弱くなった場合、デンタルフロスをとり除いて新しいデンタルフロスを使わなければならないという問題、または張力調節部の逆回転によってデンタルフロスの張力が弱くなり得るという問題を解決するために努力した。この結果、回転可能な巻取りホイールとロッキングポールの長さ方向に設置されたロッキング突起とを含むデンタルフロスホルダーを使用することにより、巻取りホイールを回転させてデンタルフロスの張力を簡便に調節することが可能であり、ロッキング突起によって巻取りホイールの逆回転が防止されてデンタルフロスの張力を維持することができるということを確認し、本発明に至った。
【００２０】
本発明のデンタルフロスホルダー１００は、大きくは胴体２００と、巻取りホイール３００とで構成される。前記胴体２００は一定長さを掘った形状に形成されるとともに、先端にデンタルフロス（Ｌ）のうち歯牙の異物を直接的にとり除く部分がかけられるヘッド２１０が具備され、中段に巻取り孔２４０が貫通するように形成され、前記巻取り孔２４０の周辺にロッキングポール２５０が弾性変形可能に形成される。
【００２１】
図１及び図２に示すように、前記胴体２００のヘッド２１０は略‘Ｙ’字形状に形成され、大きくは固定バー２２０と、連結部２３０とで構成される。前記固定バー２２０が一対具備され、一定長さを有するバー形状に形成されて、その長さ方向に沿って突き出すように突き出しリブ２２１が形成される。前記突き出しリブ２２１の一面には、デンタルフロス（Ｌ）を挿入して安定的に位置させることのできるガイドスリット２２３が形成される。前記固定バー２２０の先端には、デンタルフロス（Ｌ）を安定的に位置させることができるように、固定溝２２５が形成される。すなわち、前記デンタルフロス（Ｌ）は前記固定溝２２５にかけられ、前記ガイドスリット２２３に挿入され、前記巻取りホイール３００にかけられて固定されるものである。前記デンタルフロス（Ｌ）が固定される過程は後に詳しく説明する。
【００２２】
前記固定バー２２０は、連結部２３０によって一定距離離隔されるように位置される。前記固定バー２２０の間に位置したデンタルフロス（Ｌ）が、直接的に歯牙の間に挿入されて歯牙の間の異物をとり除く。
【００２３】
前記巻取り孔２４０は、前記巻取りホイール３００が回転可能に設置される部分である。
図１及び図２に示すように、前記巻取り孔２４０のまわりには、互いに向かい合うようにロッキングポール２５０が具備される。前記ロッキングポール２５０は、その一端が前記胴体２００に連結されるとともに、その両端が切欠されたカンチレバー形状で、前記胴体２００の幅方向に弾性変形可能に形成される。前記ロッキングポール２５０は、前記巻取りホイール３００と接して前記巻取りホイール３００を固定する役割を有する。
【００２４】
もう少し詳細に説明すれば、前記ロッキングポール２５０の先端にはロッキング突起２５５が、ロッキングポール２５０の長さ方向に突き出すように形成されている。一方、後述する前記巻取りホイール３００の回転取っ手３１０のうち前記ロッキング突起２５５と接触した円筒状挿入部３２０の外周面には、前記巻取りホイール３００の回転時、前記ロッキング突起２５５と接する軌跡上に一定間隔を置いて、ロッキング凹溝３５０が凹入されるように形成されている。前記ロッキング凹溝３５０に前記ロッキング突起２５５が挿入されることによって、前記巻取りホイール３００が固定される。
【００２５】
図１及び図２に示したように、前記巻取り孔２４０で前記ロッキングポール２５０が具備された部分を除いた残りの部分には、前記巻取り孔２４０のまわりに沿って突き出すように固定ガイド２６０が形成されている。前記固定ガイド２６０は、前記巻取りホイール３００と共に前記デンタルフロス（Ｌ）の一端を、張力が維持された状態で固定する役割を有する。すなわち、前記巻取りホイール３００と前記固定ガイド２６０との間に前記デンタルフロス（Ｌ）が挿入され、その圧力によって引かれながら前記デンタルフロス（Ｌ）が固定されるものである。詳細な説明は後述することにする。
【００２６】
図３を参照して、前記巻取りホイール３００の構成に関して詳細に説明する。前記巻取りホイール３００は、大きくは使用者の把持のための回転取っ手３１０と、前記回転取っ手３１０の一面に円筒形状に突き出すように形成されるとともに、前記巻取り孔２４０に挿入され、中段に前記デンタルフロス（Ｌ）の一部がかけられる固定スリット３３０が長さ方向に形成される円筒状挿入部３２０と、前記円筒状挿入部３２０の一端に突き出すように形成されるとともに、前記巻取り孔２４０のまわりに突き出すように形成される固定ガイド２６０にかけられて前記巻取りホイール３００が任意に分離することを防止する固定突起３４０とを含んで構成される。
【００２７】
前記回転取っ手３１０は、使用者が前記巻取りホイール３００を回転させるために把持される部分であり、一定厚さを有する円板形状に形成されるが、本実施例とは異なり四角形、五角形など多様な形状に形成することができる。
【００２８】
前記回転取っ手３１０の一面に突き出すように形成される円筒状挿入部３２０は、前記巻取りホイール３００が前記巻取り孔２４０に回転可能に設置されるようにするとともに、前記デンタルフロス（Ｌ）を固定する役割も有する。前記円筒状挿入部３２０は、前記巻取り孔２４０で円滑に回転できるように前記巻取り孔２４０と対応する形状に形成されることが望ましい。前記挿入部３２０には、固定スリット３３０が形成される。前記固定スリット３３０は、前記デンタルフロス（Ｌ）の末端部が挿入されてかけられる部分である。もう少し詳細には、前記ヘッド２１０に前記デンタルフロス（Ｌ）の中段部分がかけられて、残りの両端は共に前記固定スリット３３０を通じて挿入される。前記固定スリット３３０を通じて前記デンタルフロス（Ｌ）の両端が共に挿入された後、前記巻取りホイール３００を回転させると、前記デンタルフロス（Ｌ）が前記固定ガイド２６０及び挿入部３２０の外面の間に圧入されて固定される。本実施例では、前記固定ガイド２６０を二分割するように一字形状に形成されたが、必要によって一字ではない多様な態様で、例えば、前記挿入部３２０を四分割、五分割するように形成することも可能であろう。
【００２９】
また、前記固定スリット３３０は、前記巻取り孔２４０に円筒状挿入部３２０が挿入される場合、挿入を円滑にするために円筒状挿入部３２０の一端に向かって幅が広くなっていることが望ましい。円筒状挿入部３２０の一端には、下記の固定スリット３３０が形成されているため、挿入時に圧着されて幅が細くなることが望ましい。
【００３０】
前記固定スリット３３０によって二分割された前記挿入部３２０の分割部には、互いに向かい合った一対の固定突起３４０がそれぞれ具備されている。前記固定突起３４０は、前記巻取りホイール３００が前記巻取り孔２４０に設置された時、前記巻取り孔２４０の固定ガイド２６０の一端にかけられて、前記巻取りホイール３００が前記巻取り孔２４０で任意に分離されることを防止する役割を有する。また、前記固定突起は固定スリットによって二つにそれぞれ分離されて挿入を円滑にしており、一つが損傷しても正常に固定を行うことができる。
【００３１】
前記回転取っ手３１０のうち前記円筒状挿入部３２０の外周面には、前記円筒状挿入部３２０のまわりに沿ってロッキング凹溝３５０が多数具備されている。前記ロッキング凹溝３５０は、前記ロッキングポール２５０のロッキング突起２５５が挿入される部分であり、前記ロッキング凹溝３５０に前記ロッキング突起２５５が挿入されることによって、前記巻取りホイール３００を回転しないように固定するものである。前記ロッキング凹溝３５０は、前記ロッキング突起２５５と対応する形状で凹入されるように、多数形成される。前記ロッキング凹溝３５０が形成される位置は、前記回転取っ手３１０の回転時に前記ロッキング突起２５５が接する部分の軌跡上である。
【００３２】
すなわち、前記回転取っ手３１０を回転させた時、前記ロッキング突起２５５が接する軌跡は、円筒状挿入部３２０の外周面に位置するようになる。本実施例ではロッキング突起２５５が六個形成されたが、必要によって個数を変更可能であることは自明である。
【００３３】
前記巻取りホイール３００は、前記ロッキング突起２５５が前記ロッキング凹溝３５０に挿入されることによって固定されるが、前記ロッキング突起２５５が形成された前記ロッキングポール２５０は弾性変形可能である。したがって、前記巻取りホイール３００が回転しながら一つのロッキング凹溝３５０に隣接したロッキング凹溝３５０に移動する時、前記ロッキングポール２５０が弾性変形される。もう少し詳細には、隣接したロッキング凹溝３５０に移動する時、前記ロッキング突起２５５は前記ロッキング凹溝３５０から離脱して、前記円筒状挿入部３２０の外周面上に接するようになるが、この状態において、前記ロッキングポール２５０は前記胴体２００の幅方向に弾性変形されるものである。その後、前記回転取っ手３１０の回転によって前記ロッキング突起２５５が隣接したロッキング凹溝３５０に挿入されると、再び前記ロッキングポール２５０が復元されて、前記巻取りホイール３００が固定されるものである。
【００３４】
本発明において、前記ロッキング突起２５５はロッキングポール２５０の長さ方向に設置されることが望ましい。前記ロッキング突起２５５がロッキングポール２５０の垂直方向に設置される場合、複数回の使用によってロッキング突起２５５が擦れると、正常な位置固定が難しくなる。しかしながら、前記ロッキング突起２５５がロッキングポール２５０の長さ方向に設置される場合、相対的にロッキング突起２５５の長さを長くすることができ、ある程度摩耗があっても前記巻取りホイール３００の位置を固定することが可能となる。また、複数回の使用や衝撃によって前記固定突起３４０が損傷するか、または擦れた場合、巻取りホイール３００に上下方向において遊隙が生ずることがある。この場合、ロッキングポール２５０の垂直方向にロッキング突起２５５が設置されている場合、巻取りホイール３００との間隔が生じて固定に問題が生じ得る。しかしながら、ロッキングポール２５０の長さ方向にロッキング突起２５５が設置されている場合、ある程度の遊隙があっても問題なく巻取りホイール３００の固定をすることができる。但し、もう少し強い固定が望まれる場合や、高い耐久性が望まれる場合、ロッキング突起を巻取りホイールの長さ方向及び垂直方向の両方に設置しても良い。
【００３５】
本発明はまた、前記ヘッドが挿入されて外部汚染物質からデンタルフロスを保護することのできるヘッド安定部が内部に形成されるケースを含むことができる。前記ケースの内部には、前記ヘッド２１０が挿入されてほこりなどの外部汚染物質により前記ヘッド２１０が汚染されることを防止するヘッド安定部が内部に形成されている。前記ケースのヘッド安定部に前記ヘッド２１０が挿入されることによって、前記ヘッド２１０を清潔に保護することができるものである。
【００３６】
図面符号２８０は、デンタルフロス用ケースの挿入部であって、デンタルフロスケースを一体的に製造する場合、巻取られたデンタルフロスを内部に含むデンタルフロスケースを挿入して使用可能であり、デンタルフロスの使用が完了した後、新しいデンタルフロスと交換して使用可能なものである。
【００３７】
以下、前記胴体２００の巻取り孔２４０に前記巻取りホイール３００を組立てる過程を説明する。使用者は、前記巻取りホイール３００を前記巻取り孔２４０に挿入するが、この時、前記巻取りホイール３００のロッキング凹溝３５０が前記ロッキングポール２５０のロッキング突起２５５に向かい合うように挿入する。
【００３８】
前記挿入部３２０は前記固定スリット３３０によって二分割されていて、前記挿入部３２０で二分割された部分は互いに近付く方向に弾性変形可能である。使用者は、前記挿入部３２０が前記巻取り孔２４０に挿入可能なように、前記巻取りホイール３００の固定突起３４０が具備された挿入部３２０を弾性変形させて前記巻取り孔２４０に挿入する。この状態で使用者が前記挿入部３２０を前記巻取り孔２４０に押し入れると、前記固定突起３４０が前記巻取り孔２４０の固定ガイド２６０に合わせられると同時に復元されて、かけられるようになる。
【００３９】
前記巻取りホイール３００が前記巻取り孔２４０に結合された後にも、前記巻取りホイール３００のロッキング凹溝３５０に前記ロッキングポール２５０のロッキング突起２５５が完全に結合されないことがある。したがって、使用者は前記ロッキング突起２５５が前記巻取りホイール３００のロッキング凹溝３５０に挿入されるように、前記巻取りホイール３００を回転させる。前記ロッキングポール２５０は弾性変形可能であるため、前記ロッキング突起２５５が前記ロッキング凹溝３５０に完全に結合されない状態では、弾性変形された状態で配置されることとなる。前記ロッキング突起２５５が前記ロッキング凹溝３５０に正確に挿入されると、前記ロッキングポール２５０は再び原位置に復元される。
【００４０】
以下、図面を参照して本発明の実施例に係るデンタルフロスホルダーの使用方法を詳細に説明する。
図４及び図５は、本発明の実施例に係るデンタルフロスホルダーにデンタルフロスを固定させる過程を示す作業流れ図である。
【００４１】
先ず、使用者はデンタルフロス（Ｌ）を一定長さで切断する。この時、使用者はデンタルフロス（Ｌ）を、デンタルフロス（Ｌ）の中段がヘッド２１０の固定溝２２５に位置するとともに、両端が共に巻取りホイール３００の固定スリット３３０に挿入され得る程度に十分な長さで切断する。
【００４２】
その後使用者は、巻取りホイール３００を回転させて前記巻取りホイール３００の固定スリット３３０をロッキングポール２５０に向ける。すなわち、前記固定スリット３３０の開放された部分が前記巻取り孔２４０の固定ガイド２６０の間に位置するようにする。
【００４３】
この状態で使用者は、前記デンタルフロス（Ｌ）の一端を、前記胴体２００で前記固定スリット３３０のうち前記ヘッド２１０に向けられた部分の反対側に、手で固定する。
その後、前記デンタルフロス（Ｌ）の一部が前記固定スリット３３０の間を通過するように配置した後、前記ヘッド２１０の一方の固定バー２２０の固定溝２２５に前記デンタルフロス（Ｌ）をかけて、他方の固定バー２２０の固定溝２２５に前記デンタルフロス（Ｌ）をかける。この時、前記デンタルフロス（Ｌ）が前記固定バー２２０のガイドスリット２２３の内部に位置するように合わせてかける。前記デンタルフロス（Ｌ）を前記固定溝２２５にすべてかけた後、前記デンタルフロス（Ｌ）の他端が前記固定スリット３３０の間を通過するようにして前記デンタルフロス（Ｌ）の両端を共に集めるように固定する。このような状態が図４に示されている。
【００４４】
この状態で使用者は、前記巻取りホイール３００を回転させる。回転方向は時計方向、反時計方向のいずれであっても良い。前記巻取りホイール３００が回転されると、前記デンタルフロス（Ｌ）の一部は前記巻取りホイール３００の挿入部３２０の外面と前記巻取り孔２４０のまわりの固定ガイド２６０との間に挿入される。前記デンタルフロス（Ｌ）は、前記巻取りホイール３００の挿入部３２０と前記固定ガイド２６０との間の圧力によって固定される。
【００４５】
前記デンタルフロス（Ｌ）の張力は、前記巻取りホイール３００の回転量によって決まる。前記巻取りホイール３００がたくさん回転されるほど、前記デンタルフロス（Ｌ）の張力は増加して、前記デンタルフロス（Ｌ）の厚さは薄くなる。
【００４６】
前記巻取りホイール３００は、前記巻取りホイール３００のロッキング凹溝３５０に前記ロッキングポール２５０のロッキング突起２５５が挿入されることによって固定される。前記巻取りホイール３００のロッキング凹溝３５０は多数形成されるため、使用者は必要によって前記巻取りホイール３００を回転させて所望の角度に、もう少し詳細には、デンタルフロス（Ｌ）が使用者の所望の張力を有するように調節して使用することができるものである。
【００４７】
使用者は、使用者の歯牙に使用することに好適な程度の張力を前記デンタルフロス（Ｌ）が有するように、またはその厚さが調節されるようにデンタルフロス（Ｌ）を使用することができるため、デンタルフロス（Ｌ）の活用性が向上する。
【００４８】
また、使用によってデンタルフロス（Ｌ）の張力が低下する場合があるが、この場合、従来技術に係るデンタルフロスホルダー１００では、デンタルフロス（Ｌ）を入れ替えて使用しなければならないという不便さがあった。
【００４９】
しかし、本発明に係るデンタルフロスホルダー１００の場合、デンタルフロス（Ｌ）の張力が低下した場合、前記巻取りホイール３００を回転させて再び所望の張力を得ることができ、デンタルフロス（Ｌ）をより長期間使用することができるという利点を提供する。
【００５０】
使用者がデンタルフロス（Ｌ）の使用を完了し、再び前記ヘッド２１０を水で洗浄した後、前記ヘッド２１０を前記ケースに挿入して保管することができる。前記ヘッド２１０は使用者の口腔内部に挿入される部分において清潔な状態を維持することが重要であるが、本発明によれば、前記ケースによって前記ヘッド２１０が外部汚染物質から保護されるため、より清潔に使用することができるとともに、携帯も簡便になるという利点を有する。
【００５１】
以下、本発明に係る具体的な実施例を挙げて説明する。
実施例１
図１乃至図３と等しい形状でデンタルフロスホルダーを製造し、前記巻取りホイール３００を前記巻取り孔２４０に挿入するが、この時、前記巻取りホイール３００のロッキング凹溝３５０を前記ロッキングポール２５０のロッキング突起２５５に向けるように挿入して製造した。製造時に胴体２００はポリカーボネートで製造し、巻取りホイール３００はポリビニルクロライドで製作して組立を行った。ロッキング突起２５５はロッキングポール２５０の長さ方向に設置した。また、これと対応するロッキング凹溝３５０を、円筒状挿入部３２０の外周面に設置した。
【００５２】
比較例１
実施例１と同様であるが、ロッキング突起をロッキングポールの垂直方向に設置し、これと対応するロッキング凹溝を回転取っ手の内側平面３６０に設置した。
【００５３】
比較例２
実施例１と同様であるが、ロッキング突起をロッキングポールの長さ方向及び垂直方向に設置し、これと対応するロッキング凹溝を円筒状挿入部３２０の外周面及び回転取っ手の内側平面３６０に設置した。
【００５４】
比較例３
実施例１と同様であるが、ロッキング突起及びロッキング凹溝を設置しなかった。
実験例１
前記実施例１、比較例１、比較例２及び比較例３によって製造されたデンタルフロスホルダーの使用実験を遂行した。各ロッキング突起の位置による巻取りホイールの耐久性実験及び巻取りホイール回転時の便宜性実験を遂行した。各実験は、訓練された研究者によって遂行された。
【００５５】
【表１】
0006608968.tif 000002
表１に示すように、ロッキングポールの長さ方向にロッキング突起が設置された実施例１及び比較例２の場合、巻取りホイールが５００回回転された場合でも、所望する位置への固定が可能であるが、ロッキングポールの垂直方向のみにロッキング突起が設置された比較例１の場合、２００回を超える回転において、所望する位置への固定がされないとの結果が示された。これは、巻取りホイールの回転によってロッキング突起及び固定突起が摩耗されて、所望する位置に固定されなくなったものと判断される。これは、ロッキング突起が設置されない比較例３も同様である。
【００５６】
また、回転便宜性実験でも、一対のロッキング突起が設置された実施例１及び比較例１の場合、無理のない回転が可能であったが、ロッキング突起が追加で設置された比較例２の場合、回転時に強い力が必要となり、使用時の便宜性は低減した。
【００５７】
比較例３の場合、回転に要する力が最も小さかったが、回転後巻取りホイールが固定されず、使用が困難であった。
以上、本発明の望ましい実施例を詳細に説明した。本発明の説明は例示のためのものであり、本発明が属する技術分野における通常の知識を有する者は、本発明の技術的思想や必須な特徴を変更せずとも、容易に他の具体的な形態への変形を行うことが可能であることが理解されるであろう。
【００５８】
よって、本発明の範囲は前記の詳細な説明よりも、後述する特許請求の範囲によって現わされるものであり、特許請求の範囲の意味、範囲及びその均等概念から導出されるすべての変更、または変形された形態が、本発明の範囲に含まれるものとして解釈されなければならない。
【図１】
0006608968.tif 000003
【図２】
0006608968.tif 000004
【図３】
0006608968.tif 000005
【図４】
0006608968.tif 000006
【図５】
0006608968.tif 000007